(57)【特許請求の範囲】
【請求項１】
一対の基板間に封入された液晶に電界を印加することにより、液晶分子が電界の方向に対して垂直方向または平行方向に配向される液晶表示素子において、
前記両基板の相対向する面にそれぞれ第１電極および第２電極が設けられ、
前記第１電極の４辺の端縁の少なくとも各半分は、それに対応する前記第２電極の４辺の端縁の少なくとも各半分に対して、印加電界の直交方向にずれていることを特徴とする液晶表示素子。
【請求項２】
請求項１に記載の発明において、
前記第１電極の各辺部は、それぞれ、く字状に形成され、各く字状の各辺部に対応して前記第２電極の各辺部はく字状の縁部を有する開口部を有し、該開口部の前記各縁部は前記第１電極の各辺部に対して印加電界の直交方向にずれていることを特徴とする液晶表示素子。
【請求項３】
請求項１に記載の発明において、前記液晶表示素子はアクティブマトリクス型であることを特徴とする液晶表示素子。
【請求項４】
請求項１に記載の発明において、前記液晶表示素子は単純マトリクス型であることを特徴とする液晶表示素子。
【発明の詳細な説明】
【０００１】
【発明の属する技術分野】
この発明は液晶表示素子に関し、特に、駆動時に液晶分子の配向方向が異なる複数のドメインが形成される液晶表示素子に関する。
【０００２】
【従来の技術】
液晶表示素子には、広視野角化を図るために、ツイストネマティック液晶セルの左右または上下で液晶の初期分子配列を異ならせたものがある。図１１は従来のこのような液晶表示素子の一方の基板上に設けられた配向膜１の一例を示す。この図１１において矢印で示すように、配向膜１の右半分の配向処理方向２は右下側から左上側に向かう方向となっており、配向膜１の左半分の配向処理方向３は右上側から左下側に向かう方向となっている。
【０００３】
次に、このような配向膜１のラビング処理について説明する。まず、配向膜１の表面全体を一方の例えば配向処理方向２となるようにラビング処理する。次に、配向膜１の表面の右半分をフォトレジストで覆い、このフォトレジストの表面および配向膜１の表面の左半分を他方の配向処理方向３となるようにラビング処理する。次に、フォトレジストを剥離する。かくして、図１１に示す配向膜１が得られる。
【０００４】
【発明が解決しようとする課題】
しかしながら、従来のこのような液晶表示素子では、一方の基板で２回のラビング処理とフォトレジストの塗布および剥離を行うため、配向処理の工程数が多い上、配向膜１の表面がフォトレジスト等で汚染されることがあるという問題があった。
この発明の課題は、配向処理の工程数を少なくし、且つ、配向膜の表面が汚染されないようにすることである。
【０００５】
【課題を解決するための手段】
請求項１に記載の発明は、一対の基板間に封入された液晶に電界を印加することにより、液晶分子が電界の方向に対して垂直方向または平行方向に配向される液晶表示素子において、前記両基板の相対向する面にそれぞれ第１電極および第２電極が設けられ、前記第１電極の４辺の端縁の少なくとも各半分は、それに対応する前記第２電極の４辺の端縁の少なくとも各半分に対して、印加電界の直交方向にずれていることを特徴とするものである。請求項２に記載の発明は、請求項１に記載の発明において、前記第１電極の各辺部は、それぞれ、く字状に形成され、各く字状の辺部に対応して前記第２電極の各辺部はく字状の縁部を有する開口部を有し、該開口部の前記各縁部は前記第１電極の各辺部に対して印加電界の直交方向にずれていることを特徴とするものである。請求項３に記載の発明は、請求項１に記載の発明において、前記液晶表示素子はアクティブマトリクス型であることを特徴とするものである。請求項４に記載の発明は、請求項１に記載の発明において、前記液晶表示素子は単純マトリクス型であることを特徴とするものである。そして、この発明によれば、液晶として初期分子配列が垂直配列であるｎ−液晶を用いた場合、第１電極の４辺の端縁とそれに対応する第２電極の４辺の端縁とを印加電界の直交方向にずらしているので、両電極間に電界が印加されると、上記ずれに起因して、ｎ−液晶分子の配向方向が異なる複数のドメインが形成され、広視野角化を図ることができる。この場合、両基板に垂直配向膜を塗布法等により形成すればよく、ラビング処理を行う必要がないので、配向処理の工程数を少なくすることができ、また従来のようなフォトレジストを用いる必要もないので、配向膜の表面が汚染されないようにすることができる。
【０００６】
【発明の実施の形態】
（第１参考形態）
図１はこの発明の第１参考形態としての液晶表示素子の要部の透過平面図を示し、図２は図１のＡ−Ａ線に沿う断面図を示したものである。この液晶表示素子では、アクティブ基板１１と対向基板１２とがほぼ方形枠状のシール材（図示せず）を介して貼り合わされ、シール材の内側における両基板１１、１２間に後述する誘電異方性が負の液晶（以下、ｎ−液晶）１３が封入されている。
【０００７】
アクティブ基板１１の対向基板１２との対向面には多数の画素電極１４がマトリクス状に設けられ、画素電極１４を含む同対向面には垂直配向膜１５が設けられている。この場合、画素電極１４は、図１において、長方形状部１４ａの上辺左半分に短冊形状の突出部１４ｂが形成され、長方形状部１４ａの下辺右半分に短冊形状の突出部１４ｃが形成された形状となっている。
【０００８】
なお、図示していないが、アクティブ基板１１の対向基板１２との対向面において、図１の上下方向で隣接する画素電極１４間には走査線が左右方向に延びて設けられ、図１の左右方向で隣接する画素電極１４間には信号線が上下方向に延びて設けられている。そして、各画素電極１４は、走査線および信号線に薄膜トランジスタを介して接続されている。
【０００９】
対向基板１２のアクティブ基板１１との対向面にはブラックマトリクス１６、対向電極１７および垂直配向膜１８が設けられている。この場合、図１において一点鎖線で示すものは、ブラックマトリクス１６の長方形状の開口部１６ａである。
【００１０】
対向電極１７は、図１において点線で示すように、左右方向に延びる線からなり、アクティブ基板１１上に左右方向に配置された画素電極１４に対向するように配置されている。この場合、対向電極１７の図１での上端縁において、画素電極１４の突出部１４ｂに対応する部分は、画素電極１４の突出部１４ｂの突出端縁よりも下側で、画素電極１４の右半分の上辺の延長線上に配置されている。対向電極１７の図１での上端縁において、画素電極１４の右半分の上辺に対応する部分は、画素電極１４の右半分の上辺よりも上側で、画素電極１４の突出部１４ｂの突出端縁の延長線上に配置されている。
【００１１】
対向電極１７の図１での下端縁において、画素電極１４の突出部１４ｃに対応する部分は、画素電極１４の突出部１４ｃよりも上側で、画素電極１４の左半分の下辺の延長線上に配置されている。対向電極１７の図１での下端縁において、画素電極１４の左半分の下辺に対応する部分は、画素電極１４の左半分の下辺よりも下側で、画素電極１４の突出部１４ｃの突出端縁の延長線上に配置されている。
【００１２】
以上のことをまとめると、図１において、画素電極１４の左半分は、それに対応する対向電極１７に対して上側に画素電極１４の突出部１４ｂの突出量だけずれている。一方、画素電極１４の右半分は、それに対応する対向電極１７に対して下側に画素電極１４の突出部１４ｃの突出量だけずれている。画素電極１４の突出部１４ｂと突出部１４ｃの突出量は、限定する意味ではないが、同じ程度とされる。
【００１３】
ここで、ｎ−液晶１３は誘電異方性が負である液晶である。従って、図２に示すように、両基板１１、１２の垂直配向膜１５、１８間に封入されたｎ−液晶１３の初期分子配列は垂直配列（ホメオトロピック分子配列）であり、液晶分子１３ａが両基板１１、１２面に対して垂直に配列されている。
【００１４】
そして、図３において矢印で示すように、両基板１１、１２の電極１４、１７間に電界（交流）が印加されると、液晶分子１３ａが印加電界の方向に直交するように配向され、すなわち、液晶分子１３ａが両基板１１、１２面に対して平行するように配向される。
【００１５】
この場合、図１において、画素電極１４の左半分はそれに対向する対向電極１７に対して上側に画素電極１４の突出部１４ｂの突出量だけずれているので、画素電極１４の左半分の上辺部および下辺部にそれぞれ対応する領域では、図３において矢印で示すように、印加電界の方向が所定の方向に（左下側から右上側に向かってまたはその逆の方向に向かって）ある程度傾斜し、それ以外の領域では両基板１１、１２面に対して垂直となる。
【００１６】
従って、図１での画素電極１４の左半分の上辺部および下辺部にそれぞれ対応する領域では、図３において矢印で示すように、印加電界の方向が所定の方向にある程度傾斜することにより、液晶分子１３ａの傾斜方向が反時計方向に規制され、それ以外の領域の液晶分子１３ａがこの傾斜方向の規制された液晶分子１３ａの傾斜に追従して同方向に傾斜する。この液晶分子１３ａの傾斜方向は、図１では矢印Ｂで示すように、上側から下側に向かう方向となる。
【００１７】
一方、図１において、画素電極１４の右半分はそれに対向する対向電極１７に対して下側に画素電極１４の突出部１４ｃの突出量だけずれており、このずれの方向は画素電極１４の左半分の場合と反対の方向であるので、液晶分子１３ａの傾斜方向も反対となり、図１では矢印Ｃで示すように、下側から上側に向かう方向となる。
【００１８】
このように、この液晶表示素子では、図１において、画素電極１４の左半分に対応する領域における液晶分子１３ａの傾斜方向が矢印Ｂで示す方向となり、画素電極１４の右半分に対応する領域における液晶分子１３ａの傾斜方向がその反対で矢印Ｃで示す方向となる。従って、この液晶表示素子の駆動時には、図１において、１個の画素電極１４の左右で液晶分子１３ａの配向方向が異なる２つのドメインが形成され、１軸方向の広視野角化を図ることができる。なお、補償フィルムを用いれば、さらに広視野角化を図ることができる。
【００１９】
ここで、垂直配向膜１５、１８の形成方法について説明する。例えば、基板面を垂直配向能力を有する配向剤で直接処理すると、垂直配向膜が形成される。具体的には、配向剤の溶液を基板面に塗布し、加熱乾燥等により溶媒を除去する。この場合、ラビング処理は不要である。また、配向剤としては、有機シランやカルボン酸クロム錯体等のような基板面に化学吸着するものが好ましい。このような塗布法のほかに、垂直配向能力を有する低分子量物質をプラズマ放電で基板面に重合付着する方法であってもよく、また垂直配向能力を有する高分子量物質を高電界の作用で基板面に付着する方法であってもよい。
【００２０】
このように、この液晶表示素子では、両基板１１、１２面に塗布法等により垂直配向膜１５、１８を形成すればよく、ラビング処理を行う必要がないので、配向処理の工程数を少なくすることができる。また、従来のようなフォトレジストを用いる必要もないので、垂直配向膜１５、１８の表面が汚染されないようにすることができる。なお、このような効果は、後述する第２実施形態以下についても同じである。
【００２１】
（第２参考形態）
図４はこの発明の第２参考形態としての液晶表示素子の要部の透過平面図を示したものである。この液晶表示素子では、画素電極１４は長方形状となっている。対向電極１７は画素電極１４の長辺の長さよりも幅狭の直線からなっている。すなわち、図４において、画素電極１４の上辺は対向電極１７の上端縁に対して上側に突出部１４ｄの突出量だけずれた位置に配置され、画素電極１４の下辺は対向電極１７の下端縁に対して下側に突出部１４ｅの突出量だけずれた位置に配置されている。なお、図４において一点鎖線で示すものは、ブラックマトリクスの長方形状の開口部１６ａである。
【００２２】
そして、この液晶表示素子では、上記第１実施形態の場合と同様の駆動原理から、画素電極１４の上半分に対応する領域における液晶分子の傾斜方向は矢印Ｄで示すように上側から下側に向かう方向となり、画素電極１４の下半分に対応する領域における液晶分子の傾斜方向はその反対で矢印Ｅで示すように下側から上側に向かう方向となる。従って、この液晶表示素子の駆動時には、１個の画素電極１４の上下で液晶分子の配向方向が異なる２つのドメインが形成され、１軸方向の広視野角化を図ることができる。
【００２３】
（第１実施形態）
図５はこの発明の第１実施形態としての液晶表示素子の要部の透過平面図を示したものである。この液晶表示素子では、画素電極１４は長方形状となっている。対向電極１７は、図５において、画素電極１４よりもある程度小さめの長方形状で画素電極１４の中央部と対向するように配置された対向電極部１７ａ、対向電極部１７ａの左辺上半分とその左側に配置された画素電極（図示せず）の中央部と対向するように配置された左側の対向電極部（図示せず）の右辺上半分との間に配置された直線状の接続電極部１７ｂ、対向電極部１７ａの右辺下半分とその右側に配置された画素電極（図示せず）の中央部と対向するように配置された右側の対向電極部（図示せず）の左辺下半分との間に配置された直線状の接続電極部１７ｃ、対向電極部１７ａの上辺右半分とその上側に配置された画素電極（図示せず）の中央部と対向するように配置された上側の対向電極部（図示せず）の下辺右半分との間に配置された直線状の接続電極部１７ｄ、対向電極部１７ａの下辺左半分とその下側に配置された画素電極（図示せず）の中央部と対向するように配置された下側の対向電極部（図示せず）の上辺左半分との間に配置された直線状の接続電極部１７ｅ等からなっている。
【００２４】
すなわち、図５において、画素電極１４の左上部は、それに対応する対向電極部１７ａに対して上側に突出部１４ｆの突出量だけずれている。画素電極１４の左下部は、それに対応する対向電極部１７ａに対して左側に突出部１４ｇの突出量だけずれている。画素電極１４の右下部は、それに対応する対向電極部１７ａに対して下側に突出部１４ｈの突出量だけずれている。画素電極１４の右上部は、それに対応する対向電極部１７ａに対して右側に突出部１４ｉの突出量だけずれている。なお、図５において一点鎖線で示すものは、ブラックマトリクスの長方形状の開口部１６ａである。限定する意味ではないが、画素電極１４の突出部１４ｆ、１４ｇ、１４ｈ、１４ｉは、通常、同じとされる。
【００２５】
そして、この液晶表示素子では、上記第１実施形態の場合と同様の駆動原理から、画素電極１４の左上部の突出部１４ｆに対応する領域における液晶分子の傾斜方向は矢印Ｆで示すように上側から下側に向かう方向となり、画素電極１４の左下部の突出部１４ｇに対応する領域における液晶分子の傾斜方向は矢印Ｇで示すように左側から右側に向かう方向となり、画素電極１４の右下部の突出部１４ｈに対応する領域における液晶分子の傾斜方向は矢印Ｈで示すように下側から上側に向かう方向となり、画素電極１４の右上部の突出部１４ｉに対応する領域における液晶分子の傾斜方向は矢印Ｉで示すように右側から左側に向かう方向となる。
【００２６】
従って、この液晶表示素子の駆動時には、１個の画素電極１４の上下左右で液晶分子の配向方向が異なる４つのドメインが形成され、２軸方向の広視野角化を図ることができる。また、この場合、液晶分子の傾斜方向は全体的に見ると反時計方向であるので、液晶の配向ベクトルが対向することがなく、モノドメインに近い配向となり、ディスクリネーションラインがほとんど生じないようにすることができる。なお、画素電極１４と対向電極部１７ａとのずれ具合を変えると、液晶分子の傾斜方向が全体的に見て時計方向となるようにすることもできる。
【００２７】
（第３参考形態）
図６はこの発明の第３参考形態としての液晶表示素子の要部の透過平面図を示したものである。この液晶表示素子では、画素電極１４は長方形状であって、図６において一点鎖線で示すブラックマトリクスの長方形状の開口部１６ａの両対角線に対応する部分に×印状の開口部１４ｊが形成されている。この場合、×印状の開口部１４ｊの４つの先端部はブラックマトリクスの開口部１６ａの外側まで延びている。
【００２８】
対向電極１７は、基本的にはベタ状である。そして、画素電極１４の開口部１４ｊに対応する部分における対向電極１７には、ほぼ同じ長さで、ほぼ同じ幅の×印状の開口部１７ｆが形成されている。この場合、開口部１７ｆは開口部１４ｊに対して反時計方向、すなわち、画素電極１４の上半部においては、開口部１７ｆの各端縁が画素電極１４の開口部１４ｊの各端縁の左側に位置し、画素電極１４の下半部においては、開口部１７ｆの各端縁が画素電極１４の開口部１４ｊの各端縁の右側に位置するようにずれている。また、上下方向および左右方向に隣接する画素電極１４間に対応する部分における対向電極１７には、隣接する画素電極１４間で液晶分子の配向に影響を及ぼし合わないようにするために、開口部１７ｇが形成されている。この場合、開口部１７ｇの所定の相対向する２辺は、それに対応する画素電極１４の相対向する２辺と同じ位置に配置されている。開口部１７ｇの他の相対向する２辺は、それに対応するブラックマトリクスの開口部１６ａの開口縁の延長線上あるいは当該延長線の外側に配置されている。
【００２９】
そして、この液晶表示素子では、上記第１実施形態の場合と同様の駆動原理から、画素電極１４の×印状の開口部１４ｊの上側に対応する領域における液晶分子の傾斜方向は矢印Ｊで示すように右側から左側に向かう方向となり、画素電極１４の×印状の開口部１４ｊの左側に対応する領域における液晶分子の傾斜方向は矢印Ｋで示すように上側から下側に向かう方向となり、画素電極１４の×印状の開口部１４ｊの下側に対応する領域における液晶分子の傾斜方向は矢印Ｌで示すように左側から右側に向かう方向となり、画素電極１４の×印状の開口部１４ｊの右側に対応する領域における液晶分子の傾斜方向は矢印Ｍで示すように下側から上側に向かう方向となる。
【００３０】
従って、この液晶表示素子の駆動時には、１個の画素電極１４の上下左右で液晶分子の配向方向が異なる４つのドメインが形成され、２軸方向の広視野角化を図ることができる。また、この場合、液晶分子の傾斜方向は全体的に見ると反時計方向であるので、液晶の配向ベクトルが対向することがなく、モノドメインに近い配向となり、ディスクリネーションラインがほとんど生じないようにすることができる。なお、開口部１７ｆを開口部１４ｊに対して時計方向にある程度ずらすと、液晶分子の傾斜方向が全体的に見て時計方向となるようにすることもできる。また、画素電極１４および対向電極１７に形成する開口部は、２本の直線からなる×印状に限らず、３本以上とすることもでき、さらにそれぞれを曲線状に形成することもできる。
【００３１】
（第４参考形態）
図７はこの発明の第４参考形態としての液晶表示素子の要部の透過平面図を示したものである。この液晶表示素子では、画素電極１４は長方形の各辺部１４ｋが中央部で最も幅狭となるほぼく字状で対称な形状となっている。対向電極１７は、基本的にはベタ状である。そして、上下方向および左右方向に隣接する画素電極１４間に対応する部分における対向電極１７には、隣接する画素電極１４間で液晶分子の配向に影響を及ぼし合わないようにするために、開口部１７ｈが形成されている。
【００３２】
この場合、画素電極１４の上側に配置された開口部１７ｈの下辺部全体は、画素電極１４の上辺部のほぼく字状の辺部１４ｋに対応してほぼく字状で対称に突出され、このほぼく字状の縁部１７ｉは、画素電極１４の上側のほぼく字状の辺部１４ｋに対して下側にある程度ずれた位置に配置されている。
【００３３】
画素電極１４の下側に配置された開口部１７ｈの上辺部全体は、画素電極１４の下辺部のほぼく字状の辺部１４ｋに対応してほぼく字状で対称に突出され、このほぼく字状の縁部１７ｉは、画素電極１４の下側のほぼく字状の辺部１４ｋに対して上側にある程度ずれた位置に配置されている。
【００３４】
画素電極１４の左側に配置された開口部１７ｈの右辺部全体は、画素電極１４の左辺部のほぼく字状の辺部１４ｋに対応してほぼく字状で対称に突出され、このほぼく字状の縁部１７ｉは、画素電極１４の左側のほぼく字状の辺部１４ｋに対して左側にある程度ずれた位置に配置されている。
【００３５】
画素電極１４の右側に配置された開口部１７ｈの左辺部全体は、画素電極１４の右辺部のほぼく字状の辺部１４ｋに対応してほぼく字状で対称に突出され、このほぼく字状の縁部１７ｉは、画素電極１４の右側のほぼく字状の辺部１４ｋに対して右側にある程度ずれた位置に配置されている。
【００３６】
各開口部１７ｈの所定の相対向する２辺は、それに対応する、図７において一点鎖線で示すブラックマトリクスの開口部１６ａの開口縁の延長線上あるいは当該延長線の外側に配置されている。
【００３７】
そして、この液晶表示素子では、上記第１実施形態の場合と同様の駆動原理から、画素電極１４の左上部に対応する領域における液晶分子の傾斜方向は矢印Ｐで示すように時計方向となり、画素電極１４の左下部に対応する領域における液晶分子の傾斜方向は矢印Ｑで示すように反時計方向となり、画素電極１４の右下部に対応する領域における液晶分子の傾斜方向は矢印Ｒで示すように時計方向となり、画素電極１４の右上部に対応する領域における液晶分子の傾斜方向は矢印Ｓで示すように反時計方向となる。従って、この液晶表示素子の駆動時には、１個の画素電極１４の上下左右で液晶分子の配向方向が異なる４つのドメインが形成され、２軸方向の広視野角化を図ることができる。
【００３８】
（第５参考形態）
図８はこの発明の第５参考形態としての液晶表示素子の要部の透過平面図を示したものである。この液晶表示素子において、図７に示す場合と異なる点は、上側の開口部１７ｈの下辺部の縁部１７ｊが画素電極１４の上側の辺部１４ｋに対して上側にある程度ずれた位置に配置され、下側の開口部１７ｈの上辺部の辺部１７ｊが画素電極１４の下側の辺部１４ｋに対して下側にある程度ずれた位置に配置され、左側の開口部１７ｈの右辺部の縁部１７ｊが画素電極１４の左側の辺部１４ｋに対して右側にある程度ずれた位置に配置され、右側の開口部１７ｈの左辺部の右側の縁部１７ｊが画素電極１４の右側の辺部１４ｋに対して左側にある程度ずれた位置に配置されている点である。
【００３９】
そして、この液晶表示素子では、画素電極１４の左上部に対応する領域における液晶分子の傾斜方向は矢印Ｐで示すように反時計方向となり、画素電極１４の左下部に対応する領域における液晶分子の傾斜方向は矢印Ｑで示すように時計方向となり、画素電極１４の右下部に対応する領域における液晶分子の傾斜方向は矢印Ｒで示すように反時計方向となり、画素電極１４の右上部に対応する領域における液晶分子の傾斜方向は矢印Ｓで示すように時計方向となる。
【００４０】
（第２実施形態）
図９はこの発明の第２実施形態としての液晶表示素子の要部の透過平面図を示したものである。この液晶表示素子においては、図７における対向電極１７の開口部１７の、上下左右の各辺部における中央部で段差を設けて、画素電極１４の相対向する辺部に対して、それぞれ、突き出す縁部１７ｋと引っ込む縁部１７ｍを設けたものでる。すなわち、この第７実施形態における図７に示す場合と異なる点は、上側の開口部１７ｈの下辺部の右半分の縁部１７ｋが画素電極１４の上側の辺部１４ｋに対して上側にある程度ずれた位置に配置され、下側の開口部１７ｈの上辺部の左半分の縁部１７ｋが画素電極１４の下側の辺部１４ｋに対して下側にある程度ずれた位置に配置され、左側の開口部１７ｈの右辺部の下半分の縁部１７ｍが画素電極１４の右側の辺部１４ｋに対して右側にある程度ずれた位置に配置され、右側の開口部１７ｈの左辺部の上半分の縁部１７ｍが画素電極１４の右側の辺部１４ｋに対して左側にある程度ずれた位置に配置されている点である。
【００４１】
そして、この液晶表示素子では、画素電極１４の左上部に対応する領域における液晶分子の傾斜方向は矢印Ｐで示すように時計方向となり、画素電極１４の左下部に対応する領域における液晶分子の傾斜方向は矢印Ｑで示すように時計方向となり、画素電極１４の右下部に対応する領域における液晶分子の傾斜方向は矢印Ｒで示すように時計方向となり、画素電極１４の右上部に対応する領域における液晶分子の傾斜方向は矢印Ｓで示すように時計方向となる。この場合、液晶分子の傾斜方向は全体的に見ると反時計方向であるので、液晶の配向ベクトルの対向する部分が少なく、モノドメインに近い配向となり、ディスクリネーションラインがほとんど生じないようにすることができる。なお、画素電極１４と対向電極１７の開口部１７ｈとのずれ具合を変えると、液晶分子の傾斜方向が全体的に見て時計方向となるようにすることもできる。
【００４２】
（第３実施形態）
上記各実施形態では、この発明をアクティブマトリクス型の液晶表示素子に適用した場合について説明したが、これに限らず、単純マトリクス型の液晶表示素子にも適用することができる。例えば、図１０に示すこの発明の第３実施形態のようにしてもよい。すなわち、セグメント基板２１に設けられたセグメント電極２２は、図１０において、上下方向に間隔をおいて配置された複数の長方形状の画素電極部２２ａ、上下方向に隣接する画素電極部２２ａの左半分または右半分の間に配置された接続電極部２２ｂ等からなっている。
【００４３】
コモン基板２３に設けられたコモン電極２４は、図１０において、左右方向に間隔をおいて配置された複数の長方形状の画素電極部２４ａ、左右方向に隣接する画素電極部２４ａの上半分または下半分の間に配置された接続電極部２４ｂ等からなっている。この場合、画素電極部２４ａは、セグメント電極２２の画素電極部２２ａよりもある程度小さく、画素電極部２２ａの中央部と対向するように配置されている。なお、図１０において一点鎖線で示すものは、セグメント基板２１またはコモン基板２３に設けられたブラックマトリクスの長方形状の開口部２５である。
【００４４】
そして、この単純マトリクス型の液晶表示素子でも、図５に示す場合と同様に、両画素電極部２２ａ、２４ａの左上部に対応する領域における液晶分子の傾斜方向は矢印Ｆで示すように上側から下側に向かう方向となり、両画素電極部２２ａ、２４ａの左下部に対応する領域における液晶分子の傾斜方向は矢印Ｇで示すように左側から右側に向かう方向となり、両画素電極部２２ａ、２４ａの右下部に対応する領域における液晶分子の傾斜方向は矢印Ｈで示すように下側から上側に向かう方向となり、両画素電極部２２ａ、２４ａの右上部に対応する領域における液晶分子の傾斜方向は矢印Ｉで示すように右側から左側に向かう方向となる。
【００４５】
従って、この液晶表示素子の駆動時には、１個の画素電極部２２ａ、２４ａの上下左右で液晶分子の配向方向が異なる４つのドメインが形成され、２軸方向の広視野角化を図ることができる。また、この場合、液晶分子の傾斜方向は全体的に見ると反時計方向であるので、液晶の配向ベクトルが対向することがなく、モノドメインに近い配向となり、ディスクリネーションラインがほとんど生じないようにすることができる。
【００４６】
なお、上記第１実施形態において、対向電極１７をストライプ状のものとしたが、第２実施形態と同様、ベタ状として、電界を傾斜させる領域に、画素電極１４の辺部から印加される電界と直交する方向に所定距離ずれた位置に縁部が位置する開口部を設けるようしてもよい。その場合、電界を傾斜させない領域では、開口部の縁部は画素電極１４の対応する辺部と同じ位置に形成するのは当然である。また、第２実施形態において、画素電極１４および対向電極１７は、各電極の中央部で最も幅狭の辺部又は縁部を有するものとしたが、画素電極１４および対向電極１７は各電極の中央部で最も幅広の辺部または縁部を有する形状とすることもできる。さらに、この発明は、誘電異方性が負の液晶を実施形態としたが、誘電異方性が正である、通常、ホモジニスといわれる液晶に対しても適用可能である。
【００４７】
【発明の効果】
以上説明したように、この発明によれば、液晶として初期分子配列が垂直配列であるｎ−液晶を用いた場合、第１電極の４辺の端縁とそれに対応する第２電極の４辺の端縁とを印加電界の直交方向にずらしているので、両電極間に電界が印加されると、上記ずれに起因して、ｎ−液晶分子の配向方向が異なる複数のドメインが形成され、広視野角化を図ることができる。この場合、両基板に垂直配向膜を塗布法等により形成すればよく、ラビング処理を行う必要がないので、配向処理の工程数を少なくすることができ、また従来のようなフォトレジストを用いる必要もないので、垂直配向膜の表面が汚染されないようにすることができる。
【図面の簡単な説明】
【図１】この発明の第１実施形態としての液晶表示素子の要部の透過平面図。
【図２】図１のＡ−Ａ線に沿う断面図。
【図３】図２に示す液晶表示素子に電界を印加した状態を説明するために示す断面図。
【図４】この発明の第２実施形態としての液晶表示素子の要部の透過平面図。
【図５】この発明の第３実施形態としての液晶表示素子の要部の透過平面図。
【図６】この発明の第４実施形態としての液晶表示素子の要部の透過平面図。
【図７】この発明の第５実施形態としての液晶表示素子の要部の透過平面図。
【図８】この発明の第６実施形態としての液晶表示素子の要部の透過平面図。
【図９】この発明の第７実施形態としての液晶表示素子の要部の透過平面図。
【図１０】この発明の第８実施形態としての液晶表示素子の要部の透過平面図。
【図１１】従来の液晶表示素子の一方の基板上に設けられた配向膜の一例の平面図。
【符号の説明】
１１  アクティブ基板
１２  対向基板
１３  ｎ−液晶
１３ａ  液晶分子
１４  画素電極
１５  垂直配向膜
１６  ブラックマトリクス
１６ａ  開口部
１７  対向電極
１８  垂直配向膜
２１  セグメント基板
２２  セグメント電極
２３  コモン基板
２４  コモン電極
２５  ブラックマトリクスの開口部
【図１】
0004023132.tif 000002
【図２】
0004023132.tif 000003
【図３】
0004023132.tif 000004
【図４】
0004023132.tif 000005
【図５】
0004023132.tif 000006
【図６】
0004023132.tif 000007
【図７】
0004023132.tif 000008
【図８】
0004023132.tif 000009
【図９】
0004023132.tif 000010
【図１０】
0004023132.tif 000011
【図１１】
0004023132.tif 000012